(57)【要約】【課題】例えば、作業者等により衝突されても、チェーンに潤滑油を供給することができる乗客コンベアのチェーン給油装置を得る。【解決手段】潤滑油が通過する給油管１０を備え、循環移動する無端状の踏段チェーン２に給油管１０を通じて潤滑油を塗布するエスカレータのチェーン給油装置９において、給油管１０に連結され、給油管１０を通過した潤滑油が流出する流出体１１と、この流出体１１に設けられ、踏段チェーン２に接触する弾性の接触体１２とを備え、流出体１１から流出した潤滑油が、接触体１２を介して、踏段チェーン２に塗布される。【選択図】図２
2009161286.tif 000002
【特許請求の範囲】
【請求項１】
潤滑油が通過する給油管を備え、循環移動する無端状のチェーンに前記給油管を通じて前記潤滑油を塗布する乗客コンベアのチェーン給油装置において、
前記給油管に連結され、前記給油管を通過した前記潤滑油が流出する流出体と、
前記流出体に設けられ、前記チェーンに接触する弾性の接触体とを備え、
前記流出体から流出した前記潤滑油が、前記接触体を介して、前記チェーンに塗布されることを特徴とする乗客コンベアのチェーン給油装置。
【請求項２】
前記流出体は、断面コ字形状に形成され、
前記流出体の内側には、前記チェーンの三面に接触する前記接触体が配置されていることを特徴とする請求項１に記載の乗客コンベアのチェーン給油装置。
【請求項３】
前記接触体は、フェルトから構成されていることを特徴とする請求項１または請求項２に記載の乗客コンベアのチェーン給油装置。
【発明の詳細な説明】
【技術分野】
【０００１】
この発明は、循環移動する無端状のチェーンに潤滑油を塗布する乗客コンベアのチェーン給油装置に関する。
【背景技術】
【０００２】
従来、潤滑油が通過する給油管と、前記給油管の先端部に連結され、前記給油管を通過した前記潤滑油が噴射されるノズルとを備え、前記ノズルから噴射された前記潤滑油が、循環移動する無端状の踏段チェーンに塗布されるエスカレータのチェーン給油装置が知られている（例えば、特許文献１参照）。
【０００３】
【特許文献１】特開２００１−１６３５６６号公報
【発明の開示】
【発明が解決しようとする課題】
【０００４】
しかしながら、このものの場合、例えば、ノズルが、作業者等により衝突されて、移動してしまうと、ノズルから噴射された潤滑油が踏段チェーンに塗布されなくなり、踏段チェーンに給油することができないという問題点があった。
【０００５】
この発明は、上述のような問題点を解決することを課題とするものであって、その目的は、例えば、作業者等により衝突されても、チェーンへの潤滑油の塗布が妨げられることを抑制することができる乗客コンベアのチェーン給油装置を提供するものである。
【課題を解決するための手段】
【０００６】
この発明に係る乗客コンベアのチェーン給油装置は、潤滑油が通過する給油管を備え、循環移動する無端状のチェーンに前記給油管を通じて前記潤滑油を塗布する乗客コンベアのチェーン給油装置において、前記給油管に連結され、前記給油管を通過した前記潤滑油が流出する流出体と、前記流出体に設けられ、前記チェーンに接触する弾性の接触体とを備え、前記流出体から流出した前記潤滑油が、前記接触体を介して、前記チェーンに塗布される。
【発明の効果】
【０００７】
この発明に係る乗客コンベアのチェーン給油装置によれば、チェーンに接触したまま、チェーンに潤滑油を塗布するので、例えば、作業者等により衝突されても、チェーンへの潤滑油の塗布が妨げられることを抑制することができる。
【発明を実施するための最良の形態】
【０００８】
以下、この発明の各実施の形態を図に基づいて説明するが、各図において、同一または相当の部材、部位については、同一符号を付して説明する。
実施の形態１．
図１はエスカレータの要部を示す図、図２は図１のチェーン給油装置９を示す斜視図、図３は図１のチェーン給油装置９を示す断面図である。
乗客コンベアであるエスカレータは、踏段１と、この踏段１を循環移動させる無端状の踏段チェーン２と、この踏段チェーン２を循環移動させる無端状の駆動チェーン３と、踏段１と連動して循環移動する手摺４を駆動させる２個の無端状の手摺チェーン５と、駆動チェーン３と一方の手摺チェーン５とを連結した無端状の手摺駆動チェーン６と、２個の手摺チェーン５間を連結した無端状の連結チェーン７とを有している。
駆動チェーン３に連結された駆動装置（図示せず）が駆動すると、駆動チェーン３が循環移動し、連動して、踏段１および手摺４が循環移動する。
トラス８には、踏段チェーン２、駆動チェーン３、手摺チェーン５、手摺駆動チェーン６および連結チェーン７のそれぞれに潤滑油を塗布するチェーン給油装置９が固定されている。
以下、踏段チェーン２に潤滑油を塗布するチェーン給油装置９について説明するが、その他のチェーンに潤滑油を塗布するチェーン給油装置９についても同様である。
【０００９】
この実施の形態に係るエスカレータのチェーン給油装置９は、潤滑油が通過する給油管１０と、この給油管１０の先端部に連結された、給油管１０を通過した潤滑油が流出する流出体１１と、この流出体１１に取り付けられた、踏段チェーン２に接触する弾性の接触体１２とを備えている。
チェーン給油装置９の下方には、油受トレイ（図示せず）が取り付けられており、踏段チェーン２から落ちた潤滑油が油受トレイに溜められる。
このチェーン給油装置９は、ノズルから潤滑油が噴射されるチェーン給油装置と比べて、潤滑油が飛散する範囲が狭いので、油受トレイを小さくすることができる。
【００１０】
流出体１１は断面コ字形状に形成され、この流出体１１の内側には、断面コ字形状に形成された、踏段チェーン２の上面および両側面に接触する接触体１２が配置されている。
接触体１２は、耐磨耗性を有したフェルトから構成されている。
なお、接触体１２はフェルトに限らず、弾性および耐摩擦性を有し、潤滑油が浸透可能であるその他の材料から構成されてもよい。
【００１１】
給油管１０を通過した潤滑油は、流出体１１から流出し、接触体１２の全体に潤滑油が浸透する。
接触体１２に上面および両側面から接触された踏段チェーン２には、上面および両側面から潤滑油が塗布されて内部に浸透し、余分な潤滑油は、流出体１１の下側の開口部から流出し、油受トレイに溜められる。
この状態で、踏段チェーン２が循環移動すると、潤滑油が踏段チェーン２の全体に塗布されて内部に浸透する。
【００１２】
作業者等がチェーン給油装置９に衝突した場合には、チェーン給油装置９の接触体１２が踏段チェーン２の上面および両側面に接触しているので、チェーン給油装置９が踏段チェーン２から外れることが防止され、踏段チェーン２に潤滑油を確実に塗布することができる。
【００１３】
以上説明したように、この実施の形態に係るエスカレータのチェーン給油装置９によれば、接触体１２が踏段チェーン２に接触しているので、作業者等がチェーン給油装置９に衝突しても、チェーン給油装置９が踏段チェーン２から外れることが抑制され、踏段チェーン２への潤滑油の塗布が妨げられることを抑制することができる。
また、従来のチェーン給油装置のノズルと、流出体１１および接触体１２とを取り替えるだけで、簡単にチェーン給油装置９が踏段チェーン２から外れることを防止することができる。
【００１４】
また、流出体１１は、断面コ字形状に形成され、この流出体１１の内側には、踏段チェーン２の上面および両側面に接触する接触体１２が配置されているので、踏段チェーン２の上面および両側面から潤滑油を浸透させることができ、踏段チェーン２の回動部へ潤滑油を確実に浸透させることができる。
また、接触体１２が踏段チェーン２の上面および両側面から接触しているので、作業者等がチェーン給油装置９に衝突しても、チェーン給油装置９が踏段チェーン２から外れることがさらに防止され、踏段チェーン２に潤滑油を確実に塗布することができる。
【００１５】
また、接触体１２は、耐摩耗性に優れたフェルトから構成されているので、長期間使用することができる。
【００１６】
なお、上記実施の形態１では、エスカレータを例に説明したが、勿論このものに限らず、動く歩道であってもよい。
【図面の簡単な説明】
【００１７】
【図１】エスカレータの要部を示す図である。
【図２】図１のチェーン給油装置を示す斜視図である。
【図３】図１のチェーン給油装置を示す断面図である。
【符号の説明】
【００１８】
１  踏段、２  踏段チェーン、３  駆動チェーン、４  手摺、５  手摺チェーン、６  手摺駆動連結チェーン、７  連結チェーン、８  トラス、９  チェーン給油装置、１０  給油管、１１  流出体、１２  接触体。
【図１】
2009161286.tif 000003
【図２】
2009161286.tif 000004
【図３】
2009161286.tif 000005